(57)【特許請求の範囲】
【請求項１】
使用時に先端を切断して注出孔を開口する注出口部をもち、表裏の合成樹脂フィルムの周縁部をシールしてなる柔軟な包装袋において、前記注出口部の注出孔に、注出方向の折り目線を注出方向に対し直角方向のほぼ中央位置に形成した四角形状の開口維持シートを、前記折り目線の左側又は右側のどちらか一方の下面を前記表裏の合成樹脂フィルムのどちらか一方の内面に接着して挿着し、且つ、前記開口維持シートと対応する側の合成樹脂フィルムの内面に、係止シートを接着して突設したことを特徴とする開口維持シート付包装袋。
【請求項２】
使用時に先端を切断して注出孔を開口する注出口部をもち、表裏の合成樹脂フィルムの周縁部をシールしてなる柔軟な包装袋において、前記注出口部の注出孔に、注出方向の折り目線を注出方向に対し直角方向のほぼ中央位置に形成した四角形状の開口維持シートを、前記折り目線の左側又は右側のどちらか一方の下面を前記表裏の合成樹脂フィルムのどちらか一方の内面に接着して挿着し、且つ、前記開口維持シートと対応する側の合成樹脂フィルムの内面に、係止溝又は係止突起を形成したことを特徴とする開口維持シート付包装袋。
【請求項３】
使用時に先端を切断して注出孔を開口する注出口部をもち、表裏の合成樹脂フィルムの周縁部をシールしてなる柔軟な包装袋において、注出方向の折り目線を注出方向に対し直角方向のほぼ中央位置に形成し、該折り目線の左側又は右側のどちらか一方の上面に一個以上の係止突起を注出方向に並列して形成し、他方側の注出方向に対し直角方向のほぼ中央位置に注出方向の折り目線を形成する四角形状の開口維持シートを、前記前者の折り目線を内側に折り曲げて、該折り目線と前記後者の折り目線との間の下面を前記表裏の合成樹脂フィルムのどちらか一方の内面に接着して前記注出口部の注出孔に挿着したことを特徴とする開口維持シート付包装袋。
【請求項４】
使用時に先端を切断して注出孔を開口する注出口部をもち、表裏の合成樹脂フィルムの周縁部をシールしてなる柔軟な包装袋において、注出方向の折り目線を注出方向に対し直角方向のほぼ中央位置に形成し、且つ、注出方向の切れ目と注出方向に直角方向の２本の切れ目とからなる上方へ反る屈曲板を、注出方向に対し直角方向のほぼ中央位置から片側の端縁部にわたって形成する四角形状の開口維持シートを、前記屈曲板を形成しない側の
上面を前記表裏の合成樹脂フィルムのどちらか一方の内面に接着して前記注出口部の注出孔に挿着したことを特徴とする開口維持シート付包装袋。
【請求項５】
使用時に先端を切断して注出孔を開口する注出口部をもち、表裏の合成樹脂フィルムの周縁部をシールしてなる柔軟な包装袋において、ほぼ中央部に注出方向の切れ目を２本平行させて形成し、前記２本の切れ目の上端及び下端からそれぞれ端縁部にわたる注出方向に対して直角方向の４本の切れ目を形成して左右対応する係止板を形成し、前記係止板のそれぞれに三角波状の注出方向の係止条部を１本以上並列させて形成し、且つ、前記注出方向に対して直角方向の４本の切れ目の両端から端部にわたる８本の注出方向の折り目線を形成する四角形状の開口維持シートを、注出方向に対して直角方向のほぼ中央に前記４本の折り目線と２本の切れ目とから形成する貼着板の下面を前記表裏の合成樹脂フィルムのどちらか一方の内面に接着して前記注出口部の注出孔に挿着したことを特徴とする開口維持シート付包装袋。
【請求項６】
使用時に先端を切断して注出孔を開口する注出口部をもち、表裏の合成樹脂フィルムの周縁部をシールしてなる柔軟な包装袋において、ほぼ中央位置に、注出方向に対し直角方向に平行な２本の切れ目とこの平行な２本の切れ目の一方側の端部間を結ぶ注出方向の切れ目を形成して支柱板を設け、この支柱板の平行な２本の切れ目の他方側の端部からそれぞれ上端及び下端にわたる折り目線を形成する四角形状の開口維持シートを、前記支柱板を形成した側の支柱板を除く上面を前記表裏の合成樹脂フィルムのどちらか一方の内面に接着して前記注出口部の注出孔に挿着したことを特徴とする開口維持シート付包装袋。
【発明の詳細な説明】
【０００１】
【発明の属する技術分野】
本発明は、液体洗剤、トイレタリー、果汁飲料及び調味料などの詰替え用包装袋に関するもので、詳しくは、内容物を注出し易い開口維持シート付包装袋に関するものである。
【０００２】
【従来の技術】
近年、環境保全や省資源の立場から、各種の液体内容物に詰替え用容器が広く使用されるようになってきた。この詰替え用容器としては、使用時に注出口部を切断して注出孔を開口して使用する合成樹脂フィルムからなる柔軟な注出口部付包装袋があるが、詰め替え時の内容物の注出のし易さを改善するために、例えば、特開平８−２５３８号公報に記載されいる注出口部の注出孔を中空円筒状又は中空半円筒状に成形したものや、特開平９−２４９５６号公報に記載されている注出口部の注出孔に半硬質ないし硬質パイプを埋没したものなどが知られていた。
【０００３】
【発明が解決しようとする課題】
しかしながら、上述した従来の注出口部付包装袋は、内容物を充填する前には、包装袋本体は平坦であるが注出口部が立体構造になっているため、流通及び保管時の集積効率が悪く、また、内容物充填時に、充填機内での包装袋の搬送上のトラブルが発生し易く、このため、特殊な搬送装置などを必要とすることがあった。
【０００４】
本発明は、上述の従来の注出口部付包装袋の問題を解決したものであり、注出口部が平坦で流通及び保管時の集積効率が良く、内容物充填機上での包装袋の搬送上のトラブルがなく、使用時には、注出口部の注出孔をワンタッチで注出し易い立体構造にできる開口維持シート付包装袋を提供するものである。
【０００５】
【課題を解決するための手段】
すなわち、本発明の第１の発明は、図１（ａ）及び（ｂ）に示すように、使用時に先端を切断して注出孔（１１２）を開口する注出口部（１１０）をもち、表裏の合成樹脂フィルムの周縁部をシールしてなる柔軟な包装袋（１００）において、前記注出口部の注出孔に、注出方向の折り目線（２０１）を注出方向に対し直角方向のほぼ中央位置に形成した四角形状の開口維持シート（２００）を、前記折り目線の左側又は右側のどちらか一方の下面を前記表裏の合成樹脂フィルムのどちらか一方の内面に接着して挿着し、且つ、前記開口維持シートと対応する側の合成樹脂フィルムの内面に、係止シート（３００）を接着して突設したことを特徴とする開口維持シート付包装袋（１０）である。
【０００６】
次に、本発明の第２の発明は、図２（ａ）及び（ｂ）に示すように、使用時に先端を切断して注出孔（１１２）を開口する注出口部（１１０）をもち、表裏の合成樹脂フィルムの周縁部をシールしてなる柔軟な包装袋（１００）において、前記注出口部の注出孔に、注出方向の折り目線（２０１）を注出方向に対し直角方向のほぼ中央位置に形成した四角形状の開口維持シート（２００）を、前記折り目線の左側又は右側のどちらか一方の下面を前記表裏の合成樹脂フィルムのどちらか一方の内面に接着して挿着し、且つ、前記開口維持シートと対応する側の合成樹脂フィルムの内面に、係止溝又は係止突起（１１３）を形成したことを特徴とする開口維持シート付包装袋（１０）である。
【０００７】
次に、本発明の第３の発明は、図３（ａ）及び（ｂ）に示すように、使用時に先端を切断して注出孔（１１２）を開口する注出口部（１１０）をもち、表裏の合成樹脂フィルムの周縁部をシールしてなる柔軟な包装袋（１００）において、注出方向の折り目線（２０１ａ）を注出方向に対し直角方向のほぼ中央位置に形成し、この折り目線の左側又は右側のどちらか一方の上面に一個以上の係止突起（２１０）を注出方向に並列して形成し、他方側の注出方向に対し直角方向のほぼ中央位置に注出方向の折り目線（２０１ｂ）を形成する四角形状の開口維持シート（２００）を、前記前者の折り目線（２０１ａ）を内側に折り曲げて、この折り目線と前記後者の折り目線（２０１ｂ）との間の下面を前記表裏の合成樹脂フィルムのどちらか一方の内面に接着して前記注出口部の注出孔に挿着したことを特徴とする開口維持シート付包装袋（１０）である。
【０００８】
次に、本発明の第４の発明は、図４（ａ）及び（ｂ）に示すように、使用時に先端を切断して注出孔（１１２）を開口する注出口部（１１０）をもち、表裏の合成樹脂フィルムの周縁部をシールしてなる柔軟な包装袋（１００）において、注出方向の折り目線（２０１）を注出方向に対し直角方向のほぼ中央位置に形成し、且つ、注出方向の切れ目（２０２ｃ）と注出方向に直角方向の２本の切れ目（２０２ａ，２０２ｂ）とからなる上方へ反る屈曲板（２２０）を、注出方向に対し直角方向のほぼ中央位置から片側の端縁部にわたって形成する四角形状の開口維持シート（２００）を、前記屈曲板を形成しない側の上面を前記表裏の合成樹脂フィルムのどちらか一方の内面に接着して前記注出口部の注出孔に挿着したことを特徴とする開口維持シート付包装袋（１０）である。
【０００９】
次に、本発明の第５の発明は、図５（ａ）及び（ｂ）に示すように、使用時に先端を切断して注出孔（１１２）を開口する注出口部（１１０）をもち、表裏の合成樹脂フィルムの周縁部をシールしてなる柔軟な包装袋（１００）において、ほぼ中央部に注出方向の切れ目（２０２）を２本平行させて形成し、前記２本の切れ目の上端及び下端からそれぞれ端縁部にわたる注出方向に対して直角方向の４本の切れ目を形成して左右対応する係止板（２３０ａ，２３０ｂ）を形成し、前記係止板のそれぞれに三角波状の注出方向の係止条部（２３１ａ，２３１ｂ）を１本以上並列させて形成し、且つ、前記注出方向に対して直角方向の４本の切れ目の両端から端部にわたる８本の注出方向の折り目線（２０１）を形成する四角形状の開口維持シート（２００）を、注出方向に対して直角方向のほぼ中央に前記４本の折り目線と２本の切れ目とから形成する貼着板（２４０）の下面を前記表裏の合成樹脂フィルムのどちらか一方の内面に接着して前記注出口部の注出孔に挿着したことを特徴とする開口維持シート付包装袋（１０）である。
【００１１】
そして、本発明の第６の発明は、図６（ａ）及び（ｂ）に示すように、使用時に先端を切断して注出孔（１１２）を開口する注出口部（１１０）をもち、表裏の合成樹脂フィルムの周縁部をシールしてなる柔軟な包装袋（１００）において、ほぼ中央位置に、注出方向に対し直角方向に平行な２本の切れ目（２０２ａ，２０２ｂ）とこの平行な２本の切れ目の一方側の端部間を結ぶ注出方向の切れ目（２０２ｃ）を形成して支柱板（２６０）を設け、この支柱板の平行な２本の切れ目の他方側の端部からそれぞれ上端及び下端にわたる折り目線（２０１ａ及び２０１ｂ）を形成する四角形状の開口維持シート（２００）を、前記支柱板を形成した側の支柱板を除く上面を前記表裏の合成樹脂フィルムのどちらか一方の内面に接着して前記注出口部の注出孔に挿着したことを特徴とする開口維持シート付包装袋（１０）である。
【００１２】
【作用】
本発明の開口維持シート付包装袋は、内容物が充填されるまでは、注出口部も包装袋本体も平坦であるため、流通及び保管時の集積効率が良く、内容物充填機上での包装袋の搬送上のトラブルがなく、搬送のための特殊な装置を必要としない。
【００１３】
また、本発明の開口維持シート付包装袋は、剛性をもつ合成樹脂シートからなり折り目線を設けて折り曲げ可能にした開口維持シートを注出口部の注出孔に挿着しているため、使用時に注出口部の先端を切断して容器を開封し、注出孔に挿着されている開口維持シートを、設けられている折り目線により折り曲げて、平坦な状態から容易に立体構造に変えることができ、この立体構造の開口維持シートが、外側の柔軟な合成樹脂フィルムで形成される注出孔を開口状態に維持するため、他の容器へ内容物を移し替えるときに、内容物を注出し易い。
【００１４】
【発明の実施の形態】
本発明の開口維持シート付包装袋（１０）は、例えば、図１（ａ）に示すように、使用時に先端を切断して注出孔（１１２）を開口する注出口部（１１０）をもち、表裏の合成樹脂フィルムの周縁部をシールしてなる柔軟な包装袋（１００）の注出口部の注出孔（１１２）に、折り曲げ可能で平坦で適度の剛性をもつ開口維持シート（２００）を挿着し、内容物の注出時に、図１（ｃ）に示すように、開口維持シート（２００）を折り曲げて立体構造にするものである。
【００１５】
上述の注出口部付包装袋は、通常では、延伸ポリエステルフィルム層／ポリエチレン層構成、延伸ポリエステルフィルム層／無延伸ポリプロピレンフィルム層構成、ナイロンフィルム層／ポリエチレン層構成、ナイロンフィルム層／無延伸ポリプロピレンフィルム層構成、ナイロンフィルム層／アルミニウム箔層／ポリエチレン層構成、ナイロンフィルム層／アルミニウム箔層／無延伸ポリプロピレンフィルム層構成、延伸ポリエステルフィルム層／延伸ナイロンフィルム層／ポリエチレン層構成、延伸ポリエステルフィルム層／延伸ナイロンフィルム層／無延伸ポリプロピレンフィルム層構成、延伸ポリエステルフィルム層／アルミニウム箔層／ナイロンフィルム層／ポリエチレン層構成、延伸ポリエステルフィルム層／アルミニウム箔層／ナイロンフィルム層／無延伸ポリプロピレンフィルム層構成、ナイロンフィルム層／引裂性延伸ポリプロピレンフィルム層／アルミニウム箔層／ポリエチレン層構成、ナイロンフィルム層／引裂性延伸ポリプロピレンフィルム層／アルミニウム箔層／無延伸ポリプロピレンフィルム層構成、引裂性ナイロンフィルム層／ポリエチレン層構成、引裂性ナイロンフィルム層／無延伸ポリプロピレンフィルム層構成などの積層フィルムを表裏重ね合わせて、その周縁部に、図１（ａ）に示すように、ヒートシール法などの熱融着法によりシール部（１０１）を設けて作製するものである。使用目的によっては、単層フィルムを使用してもよい。なお、注出口部には、通常、開封のためのノッチ（１１１）を形成するものであり、包装袋の形態は、通常周知の自立しない平パウチでも、底部に底部材を設けて自立するスタンディングパウチでもよい。
【００１６】
また、開口維持シートは、ポリエチレン、ポリプロピレンなどの単層シート又はポリエチレン層／ポリスチレン層／ポリエチレン層構成、無延伸ポリプロピレンフィルム層／ポリスチレン層／無延伸ポリプロピレンフィルム層構成、ポリエチレン層／延伸ポリエステルフィルム層／ポリエチレン層構成、無延伸ポリプロピレンフィルム層／延伸ポリエステルフィルム層／無延伸ポリプロピレンフィルム層構成などの積層シート又はポリエチレン・ポリプロピレンブレンド樹脂、ポリエチレン・ポリスチレンブレンド樹脂、ポリプロピレン・ポリスチレンブレンド樹脂などの単層シートを用いて作製し、折り目線は、折り曲げる方向に合わせて罫押しやハーフカットなどにより形成するものである。
【００１７】
本発明の一実施形態の開口維持シート付包装袋（１０）は、例えば、図１（ａ）及び（ｂ）に示すように、注出口部（１１０）の注出孔（１１２）に、注出方向の折り目線（２０１）を注出方向に対し直角方向のほぼ中央位置に形成した四角形状の開口維持シート（２００）を、折り目線の左側の下面を注出口部を形成する裏側の合成樹脂フィルムの内面に熱融着法又は接着剤を用いて接着して挿着し、また、表側の合成樹脂フィルムの内面に、係止シート（３００）を熱融着法又は接着剤を用いて接着して突設するものである。そして、内容物を注出するときに、注出口部の先端を切断して注出孔を開口し、図１（ｃ）に示すように、開口維持シート（２００）の折り目線（２０１）を包装袋（１００）の外側から指で押圧して内側へ折り曲げ、開口維持シートの折り曲げ側の先端を、上方の合成樹脂フィルムの内面の右側に突設する係止シート（３００）に引っかけると、平坦だった開口維持シートがワンタッチで立体構造となり、包装袋の注出口部の注出孔が開口した状態に維持されて内容物の流路（１１４）が確保される。
【００１８】
次に、本発明の他の一実施形態の開口維持シート付包装袋（１０）は、例えば、図２（ａ）及び（ｂ）に示すように、注出口部（１１０）の注出孔（１１２）に、注出方向の折り目線（２０１）を注出方向に対し直角方向のほぼ中央位置に形成した四角形状の開口維持シート（２００）を、折り目線の左側の下面を注出口部を形成する裏側の合成樹脂フィルムの内面に熱融着法又は接着剤を用いて接着して挿着し、また、表側の合成樹脂フィルムの内面に、係止溝（１１３）を形成するものである。そして、内容物を注出するときに、注出口部の先端を切断して注出孔を開口し、図２（ｃ）に示すように、開口維持シート（２００）の折り目線（２０１）を包装袋（１００）の外側から指で押圧して内側へ折り曲げ、開口維持シートの折り曲げ側の先端を、上方の合成樹脂フィルムの内面の右側に形成する係止溝（１１３）に引っかけると、平坦だった開口維持シートがワンタッチで立体構造となり、包装袋の注出口部の注出孔が開口した状態に維持されて内容物の流路（１１４）が確保される。
【００１９】
次に、本発明の他の一実施形態の開口維持シート付包装袋（１０）は、例えば、図３（ａ）及び（ｂ）に示すように、注出方向の折り目線（２０１ａ）を注出方向に対し直角方向のほぼ中央位置に形成し、この折り目線の右側の上面に４個の係止突起（２１０）を注出方向に並列して形成し、左側の注出方向に対し直角方向のほぼ中央位置に注出方向の折り目線（２０１ｂ）を形成する四角形状の開口維持シート（２００）を、折り目線（２０１ａ）を内側に折り曲げて、折り目線（２０１ａ）と折り目線（２０１ｂ）との間の下面を裏側の合成樹脂フィルムの内面に熱融着法又は接着剤を用いて接着して注出口部（１１０）の注出孔（２１２）に挿着するものである。そして、内容物を注出するときに、注出口部の先端を切断して注出孔を開口し、図３（ｃ）に示すように、開口維持シート（２００）の折り目線（２０１ｂ）を包装袋（１００）の外側から指で押圧して内側へ折り曲げ、開口維持シートの折り曲げ側の先端を、上方の合成樹脂フィルムの内面の右側に形成する係止突起（２１０）に引っかけると、平坦だった開口維持シートがワンタッチで立体構造となり、包装袋の注出口部の注出孔が開口した状態に維持されて内容物の流路（１１４）が確保される。
【００２０】
次に、本発明の他の一実施形態の開口維持シート付包装袋（１０）は、例えば、図４（ａ）及び（ｂ）に示すように、注出方向の折り目線（２０１）を注出方向に対し直角方向のほぼ中央位置に形成し、また、注出方向の切れ目（２０２ｃ）と注出方向に直角方向の２本の切れ目（２０２ａ，２０２ｂ）とからなる上方へ反る屈曲板（２２０）を、注出方向に対し直角方向のほぼ中央位置から右側の端縁部にわたって形成する四角形状の開口維持シート（２００）を、折り目線（２０１）の左側の上面を表側の合成樹脂フィルムの内面に熱融着法又は接着剤を用いて接着して、注出口部（１１０）の注出孔（１１２）に挿着するものである。そして、内容物を注出するときに、注出口部の先端を切断して注出孔を開口し、図４（ｃ）に示すように、開口維持シート（２００）の折り目線（２０１ｂ）を包装袋（１００）の外側から指で押圧して内側へ折り曲げると、開口維持シートの折り曲げ側の先端と屈曲板の先端とが注出孔を形成する合成樹脂フィルム内面に当接し、平坦だった開口維持シートがワンタッチで立体構造となり、包装袋の注出口部の注出孔が開口した状態に維持されて内容物の流路（１１４）が確保される。
【００２１】
次に、本発明の他の一実施形態の開口維持シート付包装袋（１０）は、例えば、図５（ａ）及び（ｂ）に示すように、ほぼ中央部に注出方向の切れ目（２０２）を２本平行させて形成し、前記２本の切れ目の上端及び下端からそれぞれ端縁部にわたる注出方向に対して直角方向の４本の切れ目を形成して左右対応する係止板（２３０ａ，２３０ｂ）を形成し、係止板のそれぞれに三角波状の注出方向の係止条部（２３１ａ，２３１ｂ）を複数個（図では、４個と３個）並列させて形成し、また、注出方向に対して直角方向の４本の切れ目の両端から端部にわたる８本の注出方向の折り目線（２０１）を形成する四角形状の開口維持シート（２００）を、注出方向に対して直角方向のほぼ中央に４本の折り目線と２本の切れ目とから形成する貼着板（２４０）の下面を裏側の合成樹脂フィルムの内面に接着して注出口部（１１０）の注出孔（１１２）に挿着するものである。そして、内容物を注出するときに、注出口部の先端を切断して注出孔を開口し、図５（ｃ）に示すように、開口維持シート（２００）の貼着板（２４０）の両側の折り目線（２０１）を包装袋（１００）の外側から指で押圧して内側へ折り曲げ、上昇する係止板（２３０ａ）の係止条部（２３１ａ）の下面に係止板（２３０ｂ）の係止条部（２３１ｂ）の上面を嵌着させると、平坦だった開口維持シートがワンタッチで立体構造となり、包装袋の注出口部の注出孔が開口した状態に維持されて内容物の流路（１１４）が確保される。
【００２３】
次に、本発明の他の一実施形態の開口維持シート付包装袋（１０）は、例えば、図６（ａ）及び（ｂ）に示すように、ほぼ中央位置に、注出方向に対し直角方向に平行な２本の切れ目（２０２ａ，２０２ｂ）とこの平行な２本の切れ目の一方側の端部間を結ぶ注出方向の切れ目（２０２ｃ）を形成して支柱板（２６０）を設け、この支柱板の平行な２本の切れ目の他方側の端部からそれぞれ上端及び下端にわたる折り目線（２０１ａ及び２０１ｂ）を形成する四角形状の開口維持シート（２００）を、支柱板を形成した側の支柱板を除く上面を表裏の合成樹脂フィルムのどちらか一方の内面に接着して注出口部の注出孔に挿着するものである。そして、内容物を注出するときに、注出口部の先端を切断して注出孔を開口し、図６（ｃ）に示すように、包装袋（１００）の外側から指で押圧し、開口維持シート（２００）の折り目線（２０１）を包装袋（１００）の外側から指で押圧して内側へ折り曲げると、開口維持シートの折り曲げ側の先端と支柱板（２６０）の先端とが注出孔を形成する合成樹脂フィルム内面に当接し、平坦だった開口維持シートがワンタッチで立体構造となり、包装袋（１００）の注出口部（１１０）の注出孔が開口した状態に維持されて内容物の流路（１１４）が確保される。
【００２４】
なお、上述の本実施形態の開口維持シート付包装袋を、従来の注出口部の注出孔にパイプを埋没した注出口部付包装袋と比較評価してみたが、本実施形態の開口維持シート付包装袋は、流通及び保管時の集積効率が良く、内容物充填機上での包装袋の搬送に係わるトラブルの発生がなく充填効率が良好であった。また、注出孔からの内容物の注出状態は、従来のものと比較して遜色がなかった。
【００２５】
【発明の効果】
本発明の開口維持シート付包装袋は、注出口部が包装袋本体と同様に平坦であるので、流通及び保管時の集積効率がよく、また、通常の内容物充填機でも包装袋の搬送上のトラブルを発生しない。
【００２６】
また、本発明の開口維持シート付包装袋は、使用時に注出口部の先端を切断して開封し、注出孔に挿着されている開口維持シートを、設けられている折り目線により折り曲げて、立体構造にワンタッチで変えることができ、この立体構造の開口維持シートが注出孔を開口状態に維持するため、他の容器へ内容物を移し替えるときに、内容物を注出孔から注出し易い。
【図面の簡単な説明】
【図１】（ａ）は、本発明の一実施形態の開口維持シート付包装袋の注出口部の構造を示す説明図であり、（ｂ）は、そのＡ−Ａ’線断面図であり、（ｃ）は、内容物を注出するときの注出口部内の状態を示す断面図である。
【図２】（ａ）は、本発明の他の一実施形態の開口維持シート付包装袋の注出口部の構造を示す説明図であり、（ｂ）は、そのＢ−Ｂ’線断面図であり、（ｃ）は、内容物を注出するときの注出口部内の状態を示す断面図である。
【図３】（ａ）は、本発明の他の一実施形態の開口維持シート付包装袋の注出口部の構造を示す説明図であり、（ｂ）は、そのＣ−Ｃ’線断面図であり、（ｃ）は、内容物を注出するときの注出口部内の状態を示す断面図である。
【図４】（ａ）は、本発明の他の一実施形態の開口維持シート付包装袋の注出口部の構造を示す説明図であり、（ｂ）は、そのＤ−Ｄ’線断面図であり、（ｃ）は、内容物を注出するときの注出口部内の状態を示す断面図である。
【図５】（ａ）は、本発明の他の一実施形態の開口維持シート付包装袋の注出口部の構造を示す説明図であり、（ｂ）は、そのＥ−Ｅ’線断面図であり、（ｃ）は、内容物を注出するときの注出口部内の状態を示す断面図である。
【図６】（ａ）は、本発明の他の一実施形態の開口維持シート付包装袋の注出口部の構造を示す説明図であり、（ｂ）は、そのＧ−Ｇ’線断面図であり、（ｃ）は、内容物を注出するときの注出口部内の状態を示す断面図である。
【図１】
0003584715.tif 000002
【図２】
0003584715.tif 000003
【図３】
0003584715.tif 000004
【図４】
0003584715.tif 000005
【図５】
0003584715.tif 000006
【図６】
0003584715.tif 000007